(57)【特許請求の範囲】
【請求項１】
ホスト機器内のケージに対して挿抜自在に構成されたハウジングと、上記ハウジングが上記ケージから抜け出すことを規制するための可動ロック部材とを有し、上記ハウジングには光部品が内蔵され、挿入される光ファイバと光結合する光トランシーバにおいて、
上記可動ロック部材が嵌り込むことによって上記ハウジングが上記ケージから抜け出すことを規制するためのロック孔が上記ケージに設けられ、
上記ハウジングに保持された回動軸と接続される可動ロック部材と係合し、上記ハウジング内で前後方向にストローク自在に形成され、後方向にストロークしたときに上記可動ロック部材を上記ロック孔に嵌め込み、前方向にストロークしたときに上記可動ロック部材を上記ロック孔から解除させるアクチュエータ部と、上記アクチュエータ部にヒンジ部を介して繋がり、該ヒンジ部の展開に伴い上記ハウジングの前端上部から前方へ回動自在に形成され、前方へ回動したときに上記アクチュエータ部を前方向にストローク操作する取っ手となる回動レバー部とが一体部品として樹脂で一体的に形成されており、
上記一体部品に、上記アクチュエータ部が前方向にストロークしたときに付勢され、解勢されたときに上記アクチュエータ部を後方向にストロークさせるバネ部が樹脂で一体的に形成されており、
上記バネ部は、上記アクチュエータ部に対向して上記ハウジングに形成されたストッパ部に向けて立ち上げられた基端部から上記ストッパ部に接して押圧される押圧部までが、上記アクチュエータ部が前方向にストロークしたときに弾性変形する板バネとなっていることを特徴とする光トランシーバ。
【請求項２】
上記ヒンジ部は、上記アクチュエータ部の前壁と上記回動レバー部の基端部とを繋ぐ肉薄部からなり、上記回動レバー部の回動方向に直交する溝を有することを特徴とする請求項１記載の光トランシーバ。
【発明の詳細な説明】
【技術分野】
【０００１】
本発明は、ロック機構を有する光トランシーバに関する。
【背景技術】
【０００２】
光トランシーバは、光通信システムにおいて、伝送路である光ファイバと光電子機器である光通信機器とに介在するものであり、光通信機器（ホスト機器）に着脱自在に装着される。このために、光通信機器にはケージと呼ばれる容器が設けられ、光トランシーバのハウジングがケージに収容されるようになっている。
【０００３】
ハウジングには光通信用の光部品及び電気部品が内蔵される。ハウジングの前端には光部品が内蔵され、挿入される光ファイバと光結合するようになっている。ハウジングの後端には電気端子が形成されており、光通信機器の内部回路と電気的接続するようになっている。
【０００４】
光トランシーバには、不要な着脱が起きないよう、ロック機構が設けられる。例えば、ハウジングには、ハウジング内で挿抜方向にストローク自在に形成された可動ロック部材を備え、ケージにはロック孔が形成される。可動ロック部材がハウジングに対して挿入方向にストロークしたときに、可動ロック部材がケージに設けられたロック孔へ嵌り込むことで、ハウジングがケージにロックされて光トランシーバが光通信機器から取り外せなくなる。可動ロック部材がハウジングに対して抜き出し方向にストロークしたとき、ロック孔から可動ロック部材が解除され、ハウジングがケージから自由になり、光トランシーバが光通信機器から取り外せるようになる。
【０００５】
図９に従来の光トランシーバの外観を示す。光トランシーバ９１は、ハウジング９２の後部がケージ３に収容され、ハウジング９２の前端にロック機構９３が設けられる。
【０００６】
図１０に示されるように、従来の光トランシーバは、ロック機構９３を構成する部材として、回動軸９４の回りに回動する可動ロック部材９５のほかに、アクチュエータ９６、回動レバー９７×２個、回動レバー用ピン９８、コイルバネ９９×２個、識別用色部品１００を必要とする。
【０００７】
アクチュエータ９６は、可動ロック部材９５をケージ３に設けられたロック孔４に対して没入、解除させるもので、ハウジング９２内で前後方向にストローク自在に形成される。
【０００８】
また、アクチュエータ９６に接続された中央バー部１０１は、可動ロック部材９５に係合する突端部１０２（図１１，１２参照）と、ハウジング９２に保持され、かつ、可動ロック部材９５が回動可能に接続された回動軸９４上を突端部１０２が乗り越した後のストッパとなる段差部１０３（図１１，１２参照）とを有する。
【０００９】
図１１に、後方向にアクチュエータ９６をストロークしたときにハウジング９２がケージ３にロックされる様子を示す。突端部１０２が回動軸９４上を乗り越して段差部１０３が回動軸９４に当たる状態では、突端部１０２に押されて可動ロック部材９５がケージ３に設けられたロック孔４に嵌り込むので、ケージ３にハウジング９２がロックされ、抜き差しが規制される。
【００１０】
図１２に、前方向にアクチュエータ９６をストロークしたときにケージ３からハウジング９２が解除される様子を示す。突端部１０２が回動軸９４に乗らない位置にまで前方にストロークされた状態では、可動ロック部材９５は回動フリーとなり、ハウジング９２に引かれて回動軸９４に並ぶ位置まで、可動ロック部材９５は回動する。これにより、可動ロック部材９５がケージ３に設けられたロック孔４から解除されるので、ケージ３からハウジング９２を抜き出すことが可能となる。
【００１１】
アクチュエータ９６は、金型成形により作製され、金属又はプラスチック材料のものが一般的に用いられている。
【００１２】
回動レバー９７は、アクチュエータ９６に対し回動レバー用ピン９８で連結されており、この回動レバー用ピン９８を軸としてハウジング９２の前端上部から前方へ回動自在である。回動レバー９７は、前方へ回動したときにアクチュエータ９６を前方向にストローク操作する取っ手となる。回動レバー９７は、アクチュエータ９６が後方向にストロークしてハウジング９２がケージ９３にロックされたときには、ハウジング９２の前端上部に位置することにより、無用な出っ張りをなくし、ハウジング９２の前端における光ファイバの挿抜作業の邪魔にならないようになっている。 回動レバー９７は、金属製であり、板材の折り曲げ加工により成形される。回動レバー用ピン９８は、金属製であり、棒材などからなる。
【００１３】
コイルバネ９９は、アクチュエータ９６が前方向にストロークしているときに付勢され、解勢されたときにアクチュエータ９６を後方向にストロークさせるためのもので、ハウジング９２の一部とアクチュエータ９６との間に挟んで設置される。
【００１４】
識別用色部品１００は、光トランシーバの機種や仕様を色の違いによって目視で識別できるようにするものである。識別用色部品１００は、ハウジング９２がロックしているときの回動レバー９７の前面に設けられる。識別用色部品１００は、回動レバー９７が金属製で随意に着色させにくいため設けたものであり、回動レバー９７に張り付けるなどして取り付けられる。
【００１５】
【特許文献１】特開２００４−３４３５０６号公報
【特許文献２】特開平６−１７０９７９号公報
【発明の開示】
【発明が解決しようとする課題】
【００１６】
従来の光トランシーバは、ロック機構を構成する部材が多い。すなわち、可動ロック部材９５、アクチュエータ９６、回動レバー９７、回動レバー用ピン９８、コイルバネ９９、識別用色部品１００などが必要である。
【００１７】
また、従来の光トランシーバは、これらの部材同士が嵌め込まれたり、押し当てられたりして組み合わされた複雑な構造となり、これらを組み立てるための機構的要素が複雑であると共に組み立てる手間が多くなる。
【００１８】
このため、従来の光トランシーバでは、コスト（部材コスト、組み立てコスト）が高くなる。
【００１９】
そこで、本発明の目的は、上記課題を解決し、部材を簡素化したロック機構付き光トランシーバを提供することにある。
【課題を解決するための手段】
【００２０】
上記目的を達成するために本発明は、ホスト機器内のケージに対して挿抜自在に構成されたハウジングと、上記ハウジングが上記ケージから抜け出すことを規制するための可動ロック部材とを有し、上記ハウジングには光部品が内蔵され、挿入される光ファイバと光結合する光トランシーバにおいて、上記可動ロック部材が嵌り込むことによって上記ハウジングが上記ケージから抜け出すことを規制するためのロック孔が上記ケージに設けられ、上記ハウジングに保持された回動軸と接続される可動ロック部材と係合し、上記ハウジング内で前後方向にストローク自在に形成され、後方向にストロークしたときに上記可動ロック部材を上記ロック孔に嵌め込み、前方向にストロークしたときに上記可動ロック部材を上記ロック孔から解除させるアクチュエータ部と、上記アクチュエータ部にヒンジ部を介して繋がり、該ヒンジ部の展開に伴い上記ハウジングの前端上部から前方へ回動自在に形成され、前方へ回動したときに上記アクチュエータ部を前方向にストローク操作する取っ手となる回動レバー部とが一体部品として樹脂で一体的に形成されており、上記一体部品に、上記アクチュエータ部が前方向にストロークしたときに付勢され、解勢されたときに上記アクチュエータ部を後方向にストロークさせるバネ部が樹脂で一体的に形成されており、上記バネ部は、上記アクチュエータ部に対向して上記ハウジングに形成されたストッパ部に向けて立ち上げられた基端部から上記ストッパ部に接して押圧される押圧部までが、上記アクチュエータ部が前方向にストロークしたときに弾性変形する板バネとなっているものである。
【００２４】
上記ヒンジ部は、上記アクチュエータ部の前壁と上記回動レバー部の基端部とを繋ぐ肉薄部からなり、上記回動レバー部の回動方向に直交する溝を有してもよい。
【発明の効果】
【００２５】
本発明は次の如き優れた効果を発揮する。
【００２６】
（１）部材を簡素化することができる。
【００２７】
（２）組み立て工数を省略できる。
【発明を実施するための最良の形態】
【００２８】
以下、本発明の一実施形態を添付図面に基づいて詳述する。
【００２９】
図１に本発明に係る光トランシーバの外観を示し、図２に本発明で最も重要な一体部品の外観を示す。図３、図４に、ロック時とロック解除時における光トランシーバ内部でのハウジングと一体部品とケージの位置関係を示す。ハウジング内の光通信用の光部品及び電気部品は省略してある。
【００３０】
図１〜図４に示されるように、本発明に係る光トランシーバ１は、ホスト機器（図示せず）内のケージ３に対して挿抜自在に構成されたハウジング２と、上記ハウジング２が上記ケージ３から抜け出すことを規制するための可動ロック部材５とを有する光トランシーバ１において、上記可動ロック部材５が嵌り込むことによって上記ハウジング２が上記ケージ３から抜け出すことを規制するためのロック孔４が上記ケージ３に設けられ、上記ハウジング２に保持された回動軸６に回動可能に接続された上記可動ロック部材５と係合し、上記ハウジング２内で前後方向（図３，４中、右が前）にストローク自在に形成され、後方向にストロークしたときに上記可動ロック部材５を上記ロック孔４に嵌め込み、前方向にストロークしたときに上記可動ロック部材５を上記ロック孔４から解除させるアクチュエータ部７と、上記アクチュエータ部７にヒンジ部８を介して繋がり、該ヒンジ部８の展開に伴い上記ハウジング２の前端上部から前方へ回動自在に形成され、前方へ回動したときに上記アクチュエータ部７を前方向にストローク操作する取っ手となる回動レバー部９と、上記アクチュエータ部７が前方向にストロークしたときに付勢され、解勢されたときに上記アクチュエータ部７を後方向にストロークさせるバネ部１０とが樹脂で一体的に形成されているものである。
【００３１】
アクチュエータ部７、回動レバー部９、バネ部１０の全体を一体部品１１と呼ぶことにする。一体部品１１のうち、アクチュエータ部７は、中央バー部１２と外枠部１３を有する。
【００３２】
中央バー部１２は、前後方向ではハウジング２のうちのケージ３に収容される部分に位置し、ハウジング２を前方から見たときのハウジング２の左右方向では中央部分に位置し、上下方向では、ハウジング２の底部２ａの直ぐ上に位置する。
【００３３】
回動軸６は、ハウジング２に保持され、該回動軸６に回動可能に可動ロック部材５が接続されている。
【００３４】
中央バー部１２は、可動ロック部材５に係合する突端部１４と、突端部１４が可動ロック部材５の回動軸６上を乗り越した後のストッパとなる段差部１５とを有する。突端部１４が回動軸６上を乗り越して段差部１５が回動軸６に当たる状態では、突端部１４に押されて可動ロック部材５が回動軸６よりも下のほうへ回動し、突端部１４が回動軸６に乗らない位置まで戻った状態では、可動ロック部材５は回動フリーとなりハウジング２に引かれて可動ロック部材５が回動軸６に並ぶ位置まで回動するようになっている。
【００３５】
外枠部１３は、前後方向ではハウジング２のうちのケージ３に収容されない部分に位置し、上下方向では、ハウジング２の底部２ａより下に位置する。外枠部１３は、ハウジング２を前方から見たときハウジング２の左右両端間にわたる部分であり、上から見ると、中央が穴になった枠のような形状をしている。中央バー部１２は、外枠部１３の後側左右中央の上に位置する。
【００３６】
外枠部１３の穴内には、バネ部１０が形成されている。バネ部１０について詳しく述べると、アクチュエータ部７の一部に対し前側から対向するストッパ部１６がハウジング２に形成されており、バネ部１０は、そのストッパ部１６に向けて立ち上げられた基端部１７からストッパ部１６に接して押圧される押圧部１８までが、上面視、半円弧状の板バネとなっている。バネ部１０は、アクチュエータ部７が前方向にストロークしたときに、ストッパ部１６に規制されて弾性変形するよう、板厚、湾曲形状、押圧部１８の幅ｈが定められている。
【００３７】
ヒンジ部８は、アクチュエータ部７の前壁と回動レバー部９の基端部とを繋ぐ肉薄部からなる。ヒンジ部８は、回動レバー部９の回動方向に直交する溝（凹部）１９を有する。ヒンジ部８は、回動レバー部９の支点であり、ヒンジ部８自体を原形に回復させるバネでもある。
【００３８】
回動レバー部９は、ハウジング２の前端底部の立ち上げ形状と上部の傾斜形状に沿うように立ち上げ部２０と傾斜部２１を有し、左右の傾斜部２１の頂点を繋ぐ摘み棒２２を有する。
【００３９】
一体部品１１は、樹脂材を用いた射出成型等による樹脂成型品である。樹脂としては、ヤング率が低く、降伏応力が大きい樹脂が望ましい。
具体的には、ＰＯＭ（ポリアセタール）樹脂、ＰＥＩ（ポリエーテルイミド）樹脂、ＰＰＳ（ポリフェニレンサルファイド）樹脂などの樹脂を用いることができる。例えば、ＰＰＳ樹脂（ヤング率１０．１ＧＰａ、降伏応力８４Ｍｐａ）により一体部品１１を作製し光トランシーバ１に用いた場合、この光トランシーバ１をハウジング２から挿抜する作業（ヒンジ部８の領域を軸にして回動レバー部９を９０°回動する作業）を１０００回以上実施可能であることをシミュレーションにより確認した。
【００４０】
本発明に係る光トランシーバ１におけるロックとロック解除の動作を、主として図３、図４により説明する。
【００４１】
図３に示されるように、回動レバー部９に対してロック解除の操作がなされていない状態では、ヒンジ部８が原形、つまり回動レバー部９をハウジング２の前端に沿わせる形に回復している。バネ部１０は解勢されており、押圧部１８の幅ｈは自然長となっている。アクチュエータ部７は後方向にストロークしており、可動ロック部材５は、ケージ３に形成されたロック孔４へ嵌り込んでいる。
【００４２】
ケージ３はホスト機器となる光通信機器（図示せず）のパネルの内部に固定され、光トランシーバ１は後方の大部分がケージ３に収容され、前方の一部が光通信機器のパネルから外に出ている。このとき、可動ロック部材５がケージ３に形成されたロック孔４へ嵌り込んでいるため、ハウジング２がケージ３にロックされ、光トランシーバ１を光通信機器から抜き取ることはできない。
【００４３】
また、この状態は、ハウジングの後端にある光トランシーバ１の電気端子が光通信機器の内部回路と電気的接続された状態である。
【００４４】
光トランシーバ１を抜き取る操作として、まず、回動レバー部９の摘み棒２２を摘んで（あるいは指を掛けて）、回動レバー部９をヒンジ部８のあたりを軸にして回動させる。このとき、ヒンジ部８は肉薄部からなると共に溝１９を有するので、摘み棒２２に加えられた力によって他の部分より顕著に変形して展開していく。ヒンジ部８の展開に伴い、回動レバー部９がハウジング２の前端上部から前方へ回動する。
【００４５】
回動レバー部９が、ハウジング２の前端前方へ回動することにより、摘み棒２２に加えられる力は下方向から前方向に変化する。ハウジング２の前端前方へ回動した回動レバー部９が前方向に引かれることにより、回動レバー部９と一体であるアクチュエータ部７が前方向へストロークする。
【００４６】
さらにアクチュエータ部７が前方向へストロークすると、突端部１４は可動ロック部材５と接する領域が無くなる。これにより突端部１４による外力が作用しなくなり、回動フリーとなった可動ロック部材５はアクチュエータ７に引かれてケージ３ａに当接することにより、回動軸６の回りに回動し、ロック孔４から解除されハウジング２内に没入する。この結果、ハウジング２がケージ３からロック解除される。
【００４７】
一方、一体部品１１の一部であるバネ部１０は、押圧部１８がハウジング２の一部であるストッパ部１６に接している。このため突端部１４がロック孔４内にロックされている間、一体部品１１の一部であるアクチュエータ部７が前方向へストロークするのに伴い、図４に示されるように、押圧部１８の幅ｈが自然長より短くなるよう、バネ部１０が変形して付勢される。
さらに引き続いて、アクチュエータ部７を前方向にストロークし、突端部１４が可動ロック部材５と接する領域が無くなると、押圧部１８の幅ｈが自然長より短くなるよう、バネ部１０が変形して付勢されていた力も無くなる。これにより、バネ部１０の付勢は解除されるが、可動ロック部材５は既にケージ３に形成されたロック孔４の前方へ移動しており、ケージ３の底に規制されるので、ハウジング２から突出することはない。
【００４８】
ハウジング２がロック解除されたので、光トランシーバ１を光通信機器から抜き取ることができる。つまり、摘み棒２２を続けて引っ張ることにより、一体部品１１とハウジング２が前方向へ移動する。
【００４９】
光トランシーバ１を光通信機器から完全に抜き取り、摘み棒２２に加えていた操作力をなくすると、ヒンジ部８も自然の状態に戻る。
なお押圧部１８の幅ｈが自然長より短くなるよう、バネ部１０が変形して付勢されている時に、摘み棒２２に加えていた操作力をなくすと、バネ部１０の付勢力によってアクチュエータ部７が後方向に付勢される。そして、突端部１４による外力が可動ロック部材５に作用し、可動ロック部材５が回動軸６の回りに回動してロック孔４内にロックされる。
【００５０】
次に、光トランシーバ１を光通信機器に装着するときは、可動ロック部材５がロック孔４に対して嵌り込む形状にしておき、原形状態のままの一体部品１１を介してハウジング２をケージ３内に押し込む。可動ロック部材５が挿入されるとき、いったんケージ３ａ（図３、図４にケージ３の一部として示す）と接触するが、可動ロック部材５によってケージ３ａが下方向に押し広げられ、可動ロック部材５とロック孔４とが嵌合する。つまり、図３のようにハウジング２がケージ３にロックされる。また、このとき、光トランシーバ１の電気端子は光通信機器の内部回路と電気的に接続される。
【００５１】
本発明によれば、アクチュエータ部７、回動レバー部９、バネ部１０が一体部品１１として一体化され、樹脂で一体的に形成されているので、従来のように個別の部材を多数組み合わせたものより、部品点数が少ない。すなわち、従来は、ロック機構を構成する部材として可動ロック部材、アクチュエータ、回動レバー×２、回動レバー用ピン、コイルバネ×２、識別用色部品の８点が必要であったのに対し、本発明では、可動ロック部材、一体部品１１の２点でロック機構を構成することができ、組み立てる手間も簡単である。このように、本発明は、部品数削減、アセンブリ工数削減に寄与する。
【００５２】
また、本発明によれば、一体部品１１の構造が簡素であるので、一体部品１１の形成コストも低く抑えられる。例えば、従来はアクチュエータとハウジングとの間にコイルバネを挟み込んでいるため、アクチュエータ及びハウジングには、コイルバネが外れないようにコイルバネを係止する機構が必要である。これに対し、本発明ではバネ部１０が一体部品１１の一部であるので、構造が簡素となる。
【００５３】
また、本発明によれば、一体部品１１が樹脂で形成されているので、顔料を加えることにより、所望の色を付けることができる。これによって、光トランシーバの機種や仕様を色の違いによって目視で識別できるようになり、従来のように別途部材の識別用色部品を取り付けたり、塗装する必要がなくなる。
【００５４】
また、本発明によれば、一体部品１１が樹脂で形成されているので、バネ部材（バネ部１０、ヒンジ部８）のバネ特性を従来より良好にすることができる。
【００５５】
また、本発明によれば、アクチュエータ部７と回動レバー部９がヒンジ部８を介して繋がっているので、従来よりも回動動作をスムーズにさせることができる。また、ロック機構の部材の一部がハウジング２に接触するのを防ぐことができる。
【００５６】
本発明の他の実施形態を説明する。
【００５７】
図５（ａ）及び図５（ｂ）に示されるように、ヒンジ部５１は、複数の溝５２を有する。この例では、ヒンジ部５１の湾曲の内側となる面に４本の溝５２、外側となる面に３本の溝５２が形成されている。このように溝５２の本数を増やすことにより、曲げ伸ばしに対する耐久性を高めることができる。
【００５８】
その原理を図６により説明する。図６（ａ）のように、ほぼＬ字状に形成された樹脂Ｌ棒６１において、曲がっている部分の内側にある２点間の表面距離をＡとする。図６（ｂ）のように、この樹脂Ｌ棒６１を真っ直ぐに伸ばしたとき、２点間の表面距離はＡ＋ΔＡとなる。つまり、ΔＡが表面における伸び量である。
【００５９】
次に、図６（ｃ）のように、溝６２が形成された樹脂Ｌ棒６３を形成すると、上と同じ２点間の表面距離は、例えば、２Ａ〜３Ａと長くなる。このように溝６２が形成された樹脂Ｌ棒６３を真っ直ぐに伸ばしたとき、表面における伸び量はやはりΔＡであるから、上記２点間の表面距離は２Ａ〜３Ａ＋ΔＡとなる。両者の伸び率を比較すると、Ａ：ΔＡと２Ａ〜３Ａ：ΔＡとなり、溝６２が形成された樹脂Ｌ棒６３のほうが伸び率が少ない。よって、疲労が軽くなり曲げ伸ばしに対する耐久性が高まる。
【００６０】
溝が樹脂Ｌ棒の曲がっている部分の外側に形成されると、同様の原理で表面における圧縮率が少なくなり、これによっても曲げ伸ばしに対する耐久性が高まる。
【００６１】
また、図７（ａ）に示されるように、ほぼＬ字状に形成された樹脂Ｌ棒７１において、曲がっている部分の内側に丸く湾曲した溝７２を形成することで、肉薄部７３を形成することができる。肉薄部７３は、他の部分より肉が薄いので、樹脂Ｌ棒７１の両端に曲げの力が加えられたとき、他の部分より顕著に変形する。この構造は、樹脂Ｌ棒７１の片方を回動動作させ、弾性的に復元させること、すなわち、ヒンジ部とするのに好適な構造である。
【００６２】
さらに、図７（ｂ）に示されるように、ほぼＬ字状に形成された樹脂Ｌ棒７４において、曲がっている部分の外側に丸く膨らんだ凸部７５を形成すると、曲がっている部分の内側に形成する溝（凹部）７６を深くし、表面積を大きくすることができる。これによって、曲げ伸ばし時に生じる応力を分散させることができ、曲げ伸ばしに対する耐久性が高まる。図５のヒンジ部５１のように、両面に交互に溝を形成したものは、これと同様な効果がある。
【００６３】
図５に示すヒンジ部５１は、図６（ｃ）、図７（ａ）及び図７（ｂ）に示す特徴を全て有しており、ヒンジ部８に好適な構造である。
【００６４】
バネ部１０は上面視、半円弧状としたが、これに限らず、図８（ａ）〜（ｃ）に示されるように、Ｕ字状、８字状、Ｗ字状に形成してもよい。
【００６５】
図２の形態では、ヒンジ部８は、一体部品１１の右端、中央、左端の３箇所に分割形成したが、２箇所、４箇所等に分割形成してもよいし、右端から左端まで分割しないで形成してもよい。
【図面の簡単な説明】
【００６６】
【図１】本発明の一実施形態を示す光トランシーバの斜視図である。
【図２】本発明の一実施形態を示す光トランシーバの一体部品の拡大斜視図である。
【図３】図１の光トランシーバにおけるロック時の内部構造図である。
【図４】図１の光トランシーバにおけるロック解除時の内部構造図である。
【図５】（ａ）は、本発明の一体部品のヒンジ部の断面図、（ｂ）は同斜視図である。
【図６】（ａ）〜（ｄ）は、樹脂Ｌ棒の曲げ伸ばしを示す図である。
【図７】（ａ）、（ｂ）は、樹脂Ｌ棒と溝を示す図である。
【図８】（ａ）〜（ｄ）は、本発明の一体部品の他の実施形態によるバネ部を示す上面図である。
【図９】従来の光トランシーバの斜視図である。
【図１０】従来の光トランシーバのロック機構の拡大斜視図である。
【図１１】従来の光トランシーバにおけるロック時の動作図である。
【図１２】従来の光トランシーバにおけるロック解除時の動作図である。
【符号の説明】
【００６７】
１  光トランシーバ
２  ハウジング
３  ケージ
４  ロック孔
５  可動ロック部材
６  回動軸
７  アクチュエータ部
８  ヒンジ部
９  回動レバー部
１０  バネ部
１１  一体部品
１９  溝
【図１】
0004915377.tif 000002
【図２】
0004915377.tif 000003
【図３】
0004915377.tif 000004
【図４】
0004915377.tif 000005
【図５】
0004915377.tif 000006
【図６】
0004915377.tif 000007
【図７】
0004915377.tif 000008
【図８】
0004915377.tif 000009
【図９】
0004915377.tif 000010
【図１０】
0004915377.tif 000011
【図１１】
0004915377.tif 000012
【図１２】
0004915377.tif 000013